(57)【要約】【課題】所望の放送以外の放送を受信して誤ってアンテナの方向が調整されるのを防止することが可能なコンバータ、受信装置およびアンテナ方向調整装置を提供すること。【解決手段】コンバータ８は、周波数変換回路３によって変換された信号の受信レベルを検出する受信レベル検出回路５と、受信レベル検出回路５によって検出された受信レベルによってＬＥＤ７の点滅を制御するＬＥＤ駆動回路６と、受信装置９から入力した電源電圧のレベルを判定して受信レベル検出回路５を制御するコンパレータ１９とを含む。受信装置９は、所望の放送の信号を受信した場合には異なる電源電圧をコンバータ８へ出力するので、コンバータ８はその電源電圧を検出することによって、所望の放送が受信されていないことを検出してＬＥＤ７の点滅を制御でき、誤ってアンテナの方向が調整されるのを防止することが可能となる。【選択図】図１
2007049720.tif 000002
【特許請求の範囲】
【請求項１】
アンテナを介して受信した信号の周波数を変換して外部へ出力するための変換手段と、
前記変換手段によって変換された信号の受信レベルを検出して報知するための検出手段と、
所望の衛星からの放送の信号が受信されているか否かをレベルによって示す電源電圧を外部から入力し、前記検出手段に検出を行なわせるか否かを制御するための制御手段とを含むコンバータ。
【請求項２】
前記制御手段は、前記外部から入力した電源電圧のレベルによって前記検出手段への電源供給を制御する、請求項１記載のコンバータ。
【請求項３】
アンテナを介して受信した信号の周波数を変換して外部へ出力するための変換手段と、
前記変換手段によって変換された信号の受信レベルを検出して報知するための検出手段と、
所望の衛星からの放送の信号が受信されているか否かをパルスによって示す電源電圧を外部から入力し、前記検出手段に検出を行なわせるか否かを制御するための制御手段とを含むコンバータ。
【請求項４】
前記制御手段は、前記外部から入力したパルスに応じて前記検出手段への電源供給を制御する、請求項３記載のコンバータ。
【請求項５】
前記検出手段は、前記変換手段によって変換された信号の受信レベルをパルスに変換するためのパルス発生手段と、
前記パルス発生手段によって変換されたパルスによってＬＥＤを駆動するための駆動手段とを含む、請求項１〜４のいずれかに記載のコンバータ。
【請求項６】
外部から入力した信号から所望の衛星からの放送の信号を抽出して復調するための復調手段と、
前記復調手段によって復調された信号が前記所望の衛星からの放送の信号であるか否かを判定するための判定手段と、
前記判定手段による判定結果に基づいて、電源電圧を変えて出力することにより外部のコンバータに受信レベルの検出を行なわせるか否かを通知するための電源電圧出力手段とを含む受信装置。
【請求項７】
前記受信装置はさらに、調整モードであることを検出するための調整モード検出手段を含み、
前記電源電圧出力手段は、前記調整モード検出手段による検出結果および前記判定手段による判定結果に基づいて電源電圧を変えて外部へ出力する、請求項６記載の受信装置。
【請求項８】
外部から入力した信号から所望の衛星からの放送の信号を抽出して復調するための復調手段と、
前記復調手段によって復調された信号が前記所望の衛星からの放送の信号であるか否かを判定するための判定手段と、
前記判定手段による判定結果に基づいて、異なるパルスを生成して出力することにより外部のコンバータに受信レベルの検出を行なわせるか否かを通知するためのパルス出力手段とを含む受信装置。
【請求項９】
前記受信装置はさらに、調整モードであることを検出するための調整モード検出手段を含み、
前記電源電圧出力手段は、前記調整モード検出手段による検出結果および前記判定手段による判定結果に基づいてパルスを生成して外部へ出力する、請求項８記載の受信装置。
【請求項１０】
前記判定手段は、スクランブル解除信号によって前記復調手段によって復調された信号が前記所望の衛星からの放送の信号であるか否かを判定する、請求項６〜９のいずれかに記載の受信装置。
【請求項１１】
外部から入力した衛星放送の受信信号の受信レベルを検出して報知するための検出手段と、
所望の衛星からの放送の信号が受信されているか否かをレベルによって示す電源電圧を外部から入力し、前記検出手段に検出を行なわせるか否かを制御するための制御手段とを含むアンテナ方向調整装置。
【請求項１２】
外部から入力した衛星放送の受信信号の受信レベルを検出して報知するための検出手段と、
所望の衛星からの放送の信号が受信されているか否かをパルスによって示す電源電圧を外部から入力し、前記検出手段に検出を行なわせるか否かを制御するための制御手段とを含むアンテナ方向調整装置。
【発明の詳細な説明】
【技術分野】
【０００１】
本発明は、衛星放送の電波を受信するアンテナの方向を調整する技術に関し、特に、希望する放送を受信して正確にアンテナの方向を調整できるコンバータ、受信装置およびアンテナ方向調整装置に関する。
【背景技術】
【０００２】
近年、衛星放送受信装置が広く普及している。一般に、衛星放送受信装置は、パラボラアンテナ（以下、単にアンテナと呼ぶ）、衛星放送受信用コンバータ（以下、屋外ユニットと呼ぶ）およびＢＳ（Broadcasting Satellite）チューナ（以下、屋内ユニットと呼ぶ）等から構成される。衛星放送受信装置においては、受信レベルが一番大きくなる最適の方向にアンテナを設置する必要があるため、その専用回路が屋外ユニットに組み込まれている。
【０００３】
図４は、従来の衛星放送受信装置の概略構成を示すブロック図である。この衛星放送受信装置は、アンテナの反射鏡１０１で反射された静止人工衛星からの電波を低い周波数帯の信号に変換して出力する屋外ユニット１０８と、屋外ユニット１０８から出力された信号から所望のチャンネルの映像や音声を再生して出力する屋内ユニット１０９とを含む。
【０００４】
また、屋外ユニット１０８は、反射鏡１０１で反射された微弱な電波を集めて出力するフィードホーン１０２と、フィードホーン１０２から出力された信号を受信周波数よりも低い周波数帯の信号（以下、ＩＦ（Intermediate Frequency）信号と呼ぶ）に変換する周波数変換回路１０３と、周波数変換回路１０３から出力されたＩＦ信号のＤＣ（Direct Current）成分を遮断するＤＣ  ｃｕｔ回路１０４と、ＤＣ  ｃｕｔ回路１０４から出力されたＩＦ信号の受信レベルに応じて周波数が異なるパルスを出力する受信レベル検出回路１０５と、受信レベル検出回路１０５から出力されるパルスに応じてＬＥＤ（Light Emitting Device）１０７を駆動するＬＥＤ駆動回路１０６とを含む。
【０００５】
周波数変換回路１０３は、伝送路における制約が大きい周波数帯であるＫｕ−Ｂａｎｄの信号から、伝送路における制約が比較的小さい周波数帯であるＬ−Ｂａｎｄの信号へ変換する。ただし、周波数変換回路１０３は高周波回路の最前段であるので、ＮＦ（Noise Figure）が小さく抑えられる必要がある。周波数変換回路１０３から出力されたＩＦ信号は、２分配されてＤＣ  ｃｕｔ回路１０４および屋内ユニット１０９へ出力される。
【０００６】
ＤＣ  ｃｕｔ回路１０４は、後述するように屋内ユニット１０９からケーブル１１０を介して周波数変換回路１０３に供給されるＤＣ電圧が、受信レベル検出回路１０５へ流れ込まないようにＤＣ電圧を遮断している。また、受信レベル検出回路１０５は、ＤＣ  ｃｕｔ回路１０４から出力されるＩＦ信号のレベルに応じて間隔が変化するパルスを出力する回路であり、たとえばＶ／Ｆ（Voltage/Frequency）コンバータによって構成される。
【０００７】
ＬＥＤ駆動回路１０６は、受信レベル検出回路１０５から出力されるパルスに応じてＬＥＤ１０７を駆動するため、ＩＦ信号のレベルに応じて点滅する回数が変化する。たとえば、ＩＦ信号のレベルが小さい場合はＬＥＤ１０７がゆっくり点滅し、ＩＦ信号のレベルが大きい場合はＬＥＤ１０７が速く点滅する。アンテナ１０１を設置する際、作業者はこのＬＥＤ１０７の点滅を見ながらアンテナ１０１の方向を調整することにより、受信レベルが最も大きくなる最適の方向にアンテナ１０１を固定することが可能となる。
【０００８】
また、屋内ユニット１０９は、ケーブル１１０を介して屋外ユニット１０８から入力されたＩＦ信号から所望のチャンネルの信号を抽出し、周波数変換してＤＣに近い周波数帯のベースバンド信号（搬送波に重畳される前の信号）を生成するチューナ回路１１１と、チューナ回路１１１から出力されたベースバンド信号をディジタル信号に変換するディジタル復調部１１２と、電源電圧の選択を制御する電源電圧制御回路１１３と、１３Ｖおよび１７Ｖの電源電圧を生成し、電源電圧制御回路１１３の制御によって１３Ｖまたは１７Ｖの電源電圧を選択的に出力する電源電圧発生回路１１４と、電源電圧発生回路１１４から出力される電源電圧のＡＣ（Alternating Current）成分を遮断するＡＣ  ｃｕｔ回路１１５とを含む。
【０００９】
一般に、ディジタル衛星放送においては、ＱＰＳＫ（Quadrature Phase Shift Keying）変調方式が用いられているため、チューナ回路１１１はＩ信号（In  phase signal）およびＱ信号（Quadrature signal）の２種類の信号を出力する。ディジタル復調回路１１２は、これらの信号を入力してディジタル信号に変換し、エラー訂正処理を行った後にディジタル信号を音声信号および映像信号として出力する。これらのディジタル信号は、テレビ受像機の音声入力端子およびビデオ入力端子等に入力されて、視聴者はその放送を見ることが可能となる。
【００１０】
また、一般に、屋外ユニット１０８および屋内ユニット１０９に電源を供給する電源回路は屋内ユニット１０９に内蔵されている場合が多く、電源電圧発生回路１１４がそれに相当する。電源電圧発生回路１１４は、２種類の電圧（たとえば、１３Ｖおよび１７Ｖ）を切換えて出力する場合が多い。この理由は、衛星から放射される電波は２通りの伝播方法があるためであり、直線偏波信号であればＶ（垂直波）とＨ（水平波）とがあり、円偏波信号であればＲ（右旋波）とＬ（左旋波）とがある。
【００１１】
周波数変換回路１０３は、これら２通りの電波を区別して受信する必要があるため、衛星またはチャンネルの違いによって周波数変換回路１０３に供給される電源電圧が切換えられる。たとえば、直線偏波信号を用いて放送をしている衛星から垂直波で送信されているチャンネルを受信する場合、電源電圧制御回路１１３は電源電圧発生回路１１４を制御して１７Ｖの電源電圧を出力させる。また、衛星から水平波で送信されているチャンネルを受信する場合、電源電圧制御回路１１３は電源電圧発生回路１１４を制御して１３Ｖの電源電圧を出力させる。周波数変換回路１０３には、１３Ｖと１７Ｖとの間に閾値（約１５Ｖ）を有する判定回路が内蔵されており、１７Ｖの電源電圧が供給された場合には垂直波を受信する回路を選択し、１３Ｖの電源電圧が供給された場合には水平波を受信する回路を選択して周波数変換を行う。
【特許文献１】特開平８−２９３７２０号公報
【発明の開示】
【発明が解決しようとする課題】
【００１２】
しかし、上述した従来技術において、複数の静止人工衛星が近い角度または近い方向に位置する場合、ＬＥＤ１０８の点滅が所望の人工衛星から送信される信号の受信レベルを示しているのか、または他の人工衛星から送信される信号の受信レベルを示しているのかが判断できなくなり、アンテナ１０１の設置方向を正確に決定することが困難になるという問題点があった。
【００１３】
この問題を解決する技術として、特開平８−２９３７２０号公報に開示された発明がある。この特開平８−２９３７２０号公報に開示された発明によれば、屋外ユニットにＢＰＦ（Band Pass Filter）と、検波回路と、ＬＥＤ駆動回路とが設けられる。屋内ユニットは、ビットエラーレートからパラボラアンテナの衛星に対する方向を検出し、その検出結果に対応するパルス信号を生成する。そして、このパルス信号によって４８ｋＨｚの周波数のキャリアを変調し、ＩＦケーブルを介してこの変調信号が屋外ユニットに供給される。
【００１４】
屋外ユニット内のＢＰＦによって変調信号が分離され、この分離された変調信号が検波回路によって検波される。そして、この検波信号に対応してＬＥＤ駆動回路がＬＥＤを駆動する。
【００１５】
しかし、パルス信号によって４８ｋＨｚの周波数のキャリアを変調し、この変調信号が屋外ユニットへ送出されるため、屋外ユニットにおいてＩＦ信号にノイズが流入される原因となる。また、この変調信号がＤＣラインを介して屋外ユニット内のＩＣ（Integrated Circuit）に流れ込み、誤動作の原因となる可能性がある。
【００１６】
本発明は、上記問題点を解決するためになされたものであり、第１の目的は、所望の放送以外の放送を受信して誤ってアンテナの方向が調整されるのを防止することが可能なコンバータを提供することである。
【００１７】
第２の目的は、受信性能を低下させずにアンテナの方向を調整することが可能なコンバータを提供することである。
【００１８】
第３の目的は、所望の放送以外の放送を受信して誤ってアンテナの方向が調整されるのを防止することが可能な受信装置を提供することである。
【００１９】
第４の目的は、所望の放送以外の放送を受信して誤ってアンテナの方向が調整されるのを防止することが可能なアンテナ方向調整装置を提供することである。
【課題を解決するための手段】
【００２０】
請求項１に記載のコンバータは、アンテナを介して受信した信号の周波数を変換して外部へ出力するための変換手段と、変換手段によって変換された信号の受信レベルを検出して報知するための検出手段と、所望の衛星からの放送の信号が受信されているか否かをレベルによって示す電源電圧を外部から入力し、検出手段に検出を行なわせるか否かを制御するための制御手段とを含む。
【００２１】
制御手段は、外部から入力した電源電圧のレベルを判定して検出手段を制御するので、外部の受信装置によって所望の衛星からの放送以外の放送が受信されている場合に異なる電源電圧がコンバータに入力されるようにすることにより、誤ってアンテナの方向が調整されるのを防止することが可能となる。
【００２２】
請求項２に記載のコンバータは、請求項１記載のコンバータであって、制御手段は外部から入力した電源電圧のレベルによって検出手段への電源供給を制御する。
【００２３】
制御手段は、外部から入力した電源電圧のレベルによって検出手段への電源供給を制御するので、外部の受信装置によって所望の衛星からの放送以外の放送が受信されている場合に、検出手段の動作を停止させることが可能となる。
【００２４】
請求項３に記載のコンバータは、アンテナを介して受信した信号の周波数を変換して外部へ出力するための変換手段と、変換手段によって変換された信号の受信レベルを検出して報知するための検出手段と、所望の衛星からの放送の信号が受信されているか否かをパルスによって示す電源電圧を外部から入力し、検出手段に検出を行なわせるか否かを制御するための制御手段とを含む。
【００２５】
制御手段は、外部から入力したパルスに応じて検出手段を制御するので、外部の受信装置によって所望の衛星からの放送以外の放送が受信されている場合にパルスがコンバータに入力されないようにすることにより、誤ってアンテナの方向が調整されるのを防止することが可能となる。
【００２６】
請求項４に記載のコンバータは、請求項３記載のコンバータであって、制御手段は外部から入力したパルスに応じて検出手段への電源供給を制御する。
【００２７】
制御手段は、外部から入力したパルスに応じて検出手段への電源供給を制御するので、外部の受信装置によって所望の衛星からの放送以外の放送が受信されている場合に、検出手段の動作を停止させることが可能となる。
【００２８】
請求項５に記載のコンバータは、請求項１〜４のいずれかに記載のコンバータであって、検出手段は変換手段によって変換された信号の受信レベルをパルスに変換するためのパルス発生手段と、パルス発生手段によって変換されたパルスによってＬＥＤを駆動するための駆動手段とを含む。
【００２９】
駆動手段は、パルス発生手段によって変換されたパルスによってＬＥＤを駆動するので、作業者はＬＥＤを参照してアンテナの方向を調整することが可能となる。
【００３０】
請求項６に記載の受信装置は、外部から入力した信号から所望の衛星からの放送の信号を抽出して復調するための復調手段と、復調手段によって復調された信号が所望の衛星からの放送の信号であるか否かを判定するための判定手段と、判定手段による判定結果に基づいて、電源電圧を変えて出力することにより外部のコンバータに受信レベルの検出を行なわせるか否かを通知するための電源電圧出力手段とを含む。
【００３１】
電源電圧出力手段は、判定手段による判定結果に基づいて電源電圧を変えて外部へ出力するので、所望の衛星からの放送以外の放送が受信されている場合に異なる電源電圧を外部のコンバータに出力することにより、コンバータが誤って受信レベルを検出するのを防止することができ、誤ってアンテナの方向が調整されるのを防止することが可能となる。
【００３２】
請求項７に記載の受信装置は、請求項６記載の受信装置であって、受信装置はさらに調整モードであることを検出するための調整モード検出手段を含み、電源電圧出力手段は、調整モード検出手段による検出結果および判定手段による判定結果に基づいて電源電圧を変えて外部へ出力する。
【００３３】
電源電圧出力手段は、調整モード検出手段による検出結果および判定手段による判定結果に基づいて電源電圧を変えて外部へ出力するので、外部のコンバータに調整モードであることを通知することが可能となる。
【００３４】
請求項８に記載の受信装置は、外部から入力した信号から所望の衛星からの放送の信号を抽出して復調するための復調手段と、復調手段によって復調された信号が所望の衛星からの放送の信号であるか否かを判定するための判定手段と、判定手段による判定結果に基づいて、異なるパルスを生成して出力することにより外部のコンバータに受信レベルの検出を行なわせるか否かを通知するためのパルス出力手段とを含む。
【００３５】
パルス出力手段は、判定手段による判定結果に基づいてパルスを生成して外部へ出力するので、所望の衛星からの放送以外の放送が受信されている場合にパルスを外部のコンバータに出力しないようにすることにより、コンバータが誤って受信レベルを検出するのを防止することができ、誤ってアンテナの方向が調整されるのを防止することが可能となる。
【００３６】
請求項９に記載の受信装置は、請求項８記載の受信装置であって、受信装置はさらに調整モードであることを検出するための調整モード検出手段を含み、電源電圧出力手段は、調整モード検出手段による検出結果および判定手段による判定結果に基づいてパルスを生成して外部へ出力する。
【００３７】
電源電圧出力手段は、調整モード検出手段による検出結果および判定手段による判定結果に基づいてパルスを生成して外部へ出力するので、外部のコンバータに調整モードであることを通知することが可能となる。
【００３８】
請求項１０に記載の受信装置は、請求項６〜９のいずれかに記載の受信装置であって、判定手段はスクランブル解除信号によって復調手段によって復調された信号が所望の衛星からの放送の信号であるか否かを判定する。
【００３９】
判定手段は、スクランブル解除信号によって復調手段によって復調された信号が所望の衛星からの放送の信号であるか否かを判定するので、所望の衛星からの放送が受信されているか否かを正確に判定することが可能となる。
【００４０】
請求項１１に記載のアンテナ方向調整装置は、外部から入力した衛星放送の受信信号の受信レベルを検出して報知するための検出手段と、所望の衛星からの放送の信号が受信されているか否かをレベルによって示す電源電圧を外部から入力し、検出手段に検出を行なわせるか否かを制御するための制御手段とを含む。
【００４１】
制御手段は、外部から入力した電源電圧のレベルを判定して検出手段を制御するので、外部の受信装置によって所望の衛星からの放送以外の放送が受信されている場合に異なる電源電圧がコンバータに入力されるようにすることにより、誤ってアンテナの方向が調整されるのを防止することが可能となる。
【００４２】
請求項１２に記載のアンテナ方向調整装置は、外部から入力した衛星放送の受信信号の受信レベルを検出して報知するための検出手段と、所望の衛星からの放送の信号が受信されているか否かをパルスによって示す電源電圧を外部から入力し、検出手段に検出を行なわせるか否かを制御するための制御手段とを含む。
【００４３】
制御手段は、外部から入力したパルスに応じて検出手段を制御するので、外部の受信装置によって所望の衛星からの放送以外の放送が受信されている場合にパルスがコンバータに入力されないようにすることにより、誤ってアンテナの方向が調整されるのを防止することが可能となる。
【発明を実施するための最良の形態】
【００４４】
（実施の形態１）
図１は、本発明の実施の形態１における衛星放送受信装置の概略構成を示すブロック図である。この衛星放送受信装置は、アンテナの反射鏡１で反射された静止人工衛星からの電波を低い周波数帯の信号に変換して出力する屋外ユニット８と、屋外ユニット８から出力された信号から所望のチャンネルの映像や音声を再生して出力する屋内ユニット９とを含む。
【００４５】
屋外ユニット８は、反射鏡１で反射された微弱な電波を集めて出力するフィードホーン２と、フィードホーン２から出力された信号をＩＦ信号に変換する周波数変換回路３と、周波数変換回路３から出力されたＩＦ信号のＤＣ成分を遮断するＤＣ  ｃｕｔ回路４と、ＤＣ  ｃｕｔ回路４から出力されたＩＦ信号の受信レベルに応じて周波数が異なるパルスを出力する受信レベル検出回路５と、受信レベル検出回路５から出力されるパルスに応じてＬＥＤ７を駆動するＬＥＤ駆動回路６と、周波数変換回路３から出力されたＩＦ信号のＡＣ成分を遮断するＡＣ  ｃｕｔ回路１８と、ＡＣ  ｃｕｔ回路１８から出力されたＡＣ成分が遮断された電源電圧と所定値とを比較し、その比較結果によって受信レベル検出回路５へ供給する電源を制御するコンパレータ１９とを含む。
【００４６】
周波数変換回路３は、伝送路における制約が大きい周波数帯であるＫｕ−Ｂａｎｄの信号から、伝送路における制約が比較的小さい周波数帯であるＬ−Ｂａｎｄの信号へ変換する。ただし、周波数変換回路３は高周波回路の最前段であるので、ＮＦが小さく抑えられる必要がある。周波数変換回路３から出力されたＩＦ信号は、３分配されてＤＣ  ｃｕｔ回路４、ＡＣ  ｃｕｔ回路１８および屋内ユニット９へ出力される。
【００４７】
ＤＣ  ｃｕｔ回路４は、屋内ユニット９からケーブル１０を介して周波数変換回路３に供給されるＤＣ電圧が、受信レベル検出回路５へ流れ込まないようにＤＣ電圧を遮断している。また、受信レベル検出回路５は、ＤＣ  ｃｕｔ回路４から出力されるＩＦ信号のレベルに応じて間隔が変化するパルスを出力する回路であり、たとえばＶ／Ｆコンバータによって構成される。
【００４８】
ＬＥＤ駆動回路６は、受信レベル検出回路５から出力されるパルスに応じてＬＥＤ７を駆動するため、ＩＦ信号のレベルに応じて点滅する回数が変化する。たとえば、ＩＦ信号のレベルが小さい場合はＬＥＤ７がゆっくり点滅し、ＩＦ信号のレベルが大きい場合はＬＥＤ７が速く点滅する。アンテナ１を設置する際、作業者はこのＬＥＤ７の点滅を見ながらアンテナ１の方向を調整することにより、受信レベルが最も大きくなる最適の方向にアンテナ１を固定することが可能となる。
【００４９】
ＡＣ  ｃｕｔ回路１８は、後述するように屋内ユニット９からケーブル１０を介して供給された１７Ｖまたは２３Ｖの電源電圧からＩＦ信号を遮断して出力する。また、コンパレータ１９は、１７Ｖと２３Ｖとの間に閾値（約２０Ｖ）を有し、２３Ｖの電源電圧が供給された場合には受信レベル検出回路５へ電源を供給し、１７Ｖの電源電圧が供給された場合には受信レベル検出回路５への電源供給を停止する。
【００５０】
屋内ユニット９は、ケーブル１０を介して屋外ユニット８から入力されたＩＦ信号から所望のチャンネルの信号を抽出し、周波数変換してＤＣに近い周波数帯のベースバンド信号を生成するチューナ回路１１と、チューナ回路１１から出力されたベースバンド信号をディジタル信号に変換するディジタル復調部１２と、電源電圧の選択を制御する電源電圧制御回路１３と、１３Ｖ、１７Ｖおよび２３Ｖの電源電圧を生成し、電源電圧制御回路１３の制御によって１３Ｖ、１７Ｖまたは２３Ｖの電源電圧を選択的に出力する電源電圧発生回路１６と、電源電圧発生回路１６から出力される電源電圧のＡＣ成分を遮断するＡＣ  ｃｕｔ回路１５と、アンテナの設置方向の調整時（以下、調整モードと呼ぶ）および通常使用時に切換えて設定される調整モード切換スイッチ１７とを含む。
【００５１】
従来技術において説明したように、ディジタル衛星放送においてはＱＰＳＫ変調方式が用いられているため、チューナ回路１１はＩ信号およびＱ信号の２種類の信号を出力する。ディジタル復調回路１２は、これらの信号を入力してディジタル信号に変換し、エラー訂正処理を行った後にディジタル信号を音声信号および映像信号として出力する。これらのディジタル信号は、テレビ受像機の音声入力端子およびビデオ入力端子等に入力されて、視聴者はその放送を見ることが可能となる。
【００５２】
電源電圧発生回路１６は、３種類の電圧（たとえば、１３Ｖ、１７Ｖおよび２３Ｖ）を切換えて出力する。通常動作時、すなわち調整モード切換スイッチ１７がオフの場合においては、電源電圧制御回路１３による制御によって１３Ｖまたは１７Ｖの電源電圧が出力される。これは従来技術において説明したように、衛星から放射される電波は２通りの伝播方法があるためである。
【００５３】
一方、調整モード、すなわち調整モード切換スイッチ１７がオンの場合においては、電源電圧制御回路１３による制御によって１７Ｖまたは２３Ｖの電源電圧が出力される。電源電圧制御回路１３は、所望の放送が受信されているか否かを判定できる信号、たとえばディジタル復調回路１２から出力されるスクランブル解除信号を入力する。電源電圧制御回路１３は、スクランブル解除信号に基づいて、所望の放送が受信されていると判定した場合には電源電圧発生回路１６を制御して２３Ｖの電源電圧を出力させ、所望の放送が受信されていないと判定した場合には電源電圧発生回路１６を制御して１７Ｖの電源電圧を出力させる。
【００５４】
このようにして、調整モード時に所望の放送が受信されている場合には屋内ユニット９から２３Ｖの電源電圧が出力され、所望の放送が受信されていない場合には屋外ユニット９から１７Ｖが出力される。屋外ユニット８のコンパレータ１９は、ケーブル１０を介して２３Ｖの電源電圧を入力すると受信レベル検出回路５に電源の供給を開始する。受信レベル検出回路５は、コンパレータ１９から電源の供給を受けると、ＤＣ  ｃｕｔ回路４から出力されるＩＦ信号のレベルに応じてパルスを出力する。ＬＥＤ駆動回路６は、受信レベル検出回路５から出力されたパルスに応じてＬＥＤ７を駆動する。
【００５５】
また、屋外ユニット８のコンパレータ１９は、ケーブル１０を介して１７Ｖの電源電圧を入力すると受信レベル検出回路５への電源供給を停止する。受信レベル検出回路５は、電源供給の停止によって動作を停止するのでＬＥＤ７は消灯したままとなる。このようにして、所望の放送が屋内ユニット９によって受信されている場合には、作業者はこのＬＥＤ７の点滅を見ながらアンテナ１の方向を調整することが可能になる。また、ＬＥＤ７が消灯している場合には、作業者は所望の放送が受信されていないことを知ることができ、所望の放送以外の放送を受信して誤ってアンテナの方向が調整されることを防止することが可能となる。
【００５６】
なお、調整モード時には周波数変換回路３に１７Ｖまたは２３Ｖの電源電圧しか供給されないため、Ｖ（垂直波）とＨ（水平波）との切換え、またはＲ（右旋波）とＬ（左旋波）との切換えができないことになるが、屋内ユニット９において１７Ｖに対応する放送を選択すれば良いので特に問題とはならない。
【００５７】
また、ＬＥＤ７を駆動して作業者に報知するようにしたが、スピーカによって音で報知する方法等であっても良い。
【００５８】
以上説明したように、本実施の形態における衛星放送受信装置によれば、所望の放送が受信されている場合には受信レベル検出回路５が受信レベルを検出し、所望の放送が受信されていない場合には受信レベル検出回路５が受信レベルを検出しないようにしたので、所望の放送以外の放送を受信して誤ってアンテナの方向が調整されるのを防止することが可能となった。
【００５９】
また、屋内ユニット９から異なる電源電圧を出力して所望の放送が受信されているか否かを屋外ユニット８へ通知するようにしたので、屋外ユニット８へ連続的なノイズが流入されることがなく、受信性能を低下させることを防止することが可能となった。さらには、屋外ユニット８は屋内ユニット９からの電源供給によって動作するので、屋外ユニット８と屋内ユニット９とを接続するケーブル１０の接続不良等による問題もＬＥＤ７によって検出することができる。
【００６０】
（実施の形態２）
図２は、本発明の実施の形態２における衛星放送受信装置の概略構成を示すブロック図である。本実施の形態における衛星放送受信装置は、実施の形態１における衛星放送受信装置と比較して、屋外ユニットに搭載されていたＤＣ  ｃｕｔ回路４、受信レベル検出回路５、ＬＥＤ駆動回路６、ＬＥＤ７、ＡＣ  ｃｕｔ回路１８およびコンパレータ１９を別の装置であるアンテナ方向調整装置（以下、調整用ユニットと呼ぶ）に搭載した点のみが異なる。したがって、重複する構成および機能の詳細な説明は繰返さない。なお、屋外ユニットおよび調整用ユニットの参照符号をそれぞれ２０および２１として説明する。
【００６１】
屋外ユニット２０の周波数変換回路３から出力されたＩＦ信号は、ケーブル２２を介して調整用ユニット２１に入力される。また、調整用ユニット２１に入力されたＩＦ信号はケーブル２３を介して屋内ユニット９に入力される。このような構成により、調整用ユニット２１は、アンテナ１の方向を調整する時にのみ屋外ユニット２０と屋内ユニット９との間に挿入されれば良い。作業者がこの調整用ユニット２１を携帯しており、アンテナ１の設置時に屋外ユニット２０と屋内ユニット９との間に接続してアンテナ１の方向を調整する。そして、アンテナの方向の調整が終了すれば、屋外ユニット２０と屋内ユニット９とを直接接続して作業を終了する。
【００６２】
以上説明したように、屋外ユニットに搭載されていた回路の一部を別の装置である調整ユニット２１に搭載するようにしたので、衛星放送受信装置全体のコストを削減することが可能となった。また、屋外ユニットにＬＥＤを搭載する必要がないため、屋外ユニットにＬＥＤ用の覗き穴を設ける必要がなくなり、屋外ユニットの気密低下を防止することが可能となった。
【００６３】
（実施の形態３）
図３は、本発明の実施の形態３における衛星放送受信装置の概略構成を示すブロック図である。本実施の形態における衛星放送受信装置は、図１に示す実施の形態１における衛星放送受信装置と比較して、屋外ユニット８内のコンパレータ１９の機能が異なる点、および屋内ユニット９内にパルス発生回路２４が追加された点、電源電圧制御回路および電源電圧発生回路の機能が図４に示す従来の衛星放送受信装置における電源電圧制御回路１１３および電源電圧発生回路１１４と同じである点のみが異なる。したがって、重複する構成および機能の詳細な説明は繰返さない。なお、屋外ユニットおよび屋内ユニットの参照符号をそれぞれ８’および９’として説明する。なお、実施の形態２における調整用ユニットと同様に、屋外ユニット８’のフィードホーン２および周波数変換回路３以外の部分を分離して調整用ユニットとしても良い。
【００６４】
屋内ユニット９’において、パルス発生回路２４は、調整モード切換スイッチ１７がオンの時にディジタル復調部１２から出力される所望の放送が受信されているか否かを判定できる信号、たとえばスクランブル解除信号を入力して所望の放送が受信されていると判定した場合には所定のパルスを発生させて出力する。また、パルス発生回路２４は、調整モード切換スイッチ１７がオンの時にスクランブル解除信号によって所望の放送が受信されていないと判定した場合にはパルスを出力しない。なお、調整モード切換スイッチ１７がオフの場合には、パルス発生回路２４はパルスを出力しない。
【００６５】
屋外ユニット８’において、コンパレータ２５はケーブル１０を介して所定のパルスが入力されれば受信レベル検出回路５への電源供給を開始する。また、コンパレータ２５は所定のパルスが入力されなければ受信レベル検出回路５への電源供給を停止する。
【００６６】
このようにして、調整モード時に所望の放送が受信されている場合には屋内ユニット９’から所定のパルスが出力され、所望の放送が受信されていない場合には屋外ユニット９’から所定のパルスが出力されない。屋外ユニット８’のコンパレータ２５は、ケーブル１０を介して所定のパルスを入力すると受信レベル検出回路５に電源の供給を開始する。受信レベル検出回路５は、コンパレータ２５から電源の供給を受けると、ＤＣ  ｃｕｔ回路４から出力されるＩＦ信号のレベルに応じてパルスを出力する。ＬＥＤ駆動回路６は、受信レベル検出回路５から出力されたパルスに応じてＬＥＤ７を駆動する。
【００６７】
また、屋外ユニット８’のコンパレータ２５は、ケーブル１０を介してパルスを入力しない場合には受信レベル検出回路５への電源供給を停止する。受信レベル検出回路５は、電源供給の停止によって動作を停止するのでＬＥＤ７は消灯したままとなる。このようにして、所望の放送が屋内ユニットによって受信されている場合には、作業者はこのＬＥＤ７の点滅を見ながらアンテナ１の方向を調整することが可能になる。また、ＬＥＤ７が消灯している場合には、作業者は所望の放送が受信されていないことを知ることができ、所望の放送以外の放送を受信して誤ってアンテナの方向が調整されることを防止することが可能となる。
【００６８】
以上説明したように、本実施の形態における衛星放送受信装置によれば、所望の放送が受信されている場合には受信レベル検出回路５が受信レベルを検出し、所望の放送が受信されていない場合には受信レベル検出回路５が受信レベルを検出しないようにしたので、所望の放送以外の放送を受信して誤ってアンテナの方向が調整されるのを防止することが可能となった。
【００６９】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】本発明の実施の形態１における衛星放送受信装置の概略構成を示すブロック図である。
【図２】本発明の実施の形態２における衛星放送受信装置の概略構成を示すブロック図である。
【図３】本発明の実施の形態３における衛星放送受信装置の概略構成を示すブロック図である。
【図４】従来の衛星放送受信装置の概略構成を示すブロック図である。
【符号の説明】
【００７１】
１  パラボラアンテナ、２  フィードホーン、３  周波数変換回路、４  ＤＣ  ｃｕｔ回路、５  受信レベル検出回路、６  ＬＥＤ駆動回路、７  ＬＥＤ、８，８’，２０  屋外ユニット、９，９’  屋内ユニット、１０，２２，２３  ケーブル、１１  チューナ回路、１２  ディジタル復調回路、１３  電源電圧制御回路、１４，１６  電源電圧発生回路、１５，１８  ＡＣ  ｃｕｔ回路、１７  調整モード切換スイッチ、１９  コンパレータ、２１  調整用ユニット、２４  パルス発生回路。
【図１】
2007049720.tif 000003
【図２】
2007049720.tif 000004
【図３】
2007049720.tif 000005
【図４】
2007049720.tif 000006